(57)【要約】【課題】サイズや重量の異なる２種類の物品を集合梱包する収納箱の耐衝撃性を高める。【解決手段】外箱であるカートン箱４に配置される仕切構造物６は、平行配置された第１仕切板７〜１０と、これらに直交するように組み付けられる第２仕切板１１を有し、第１仕切板７〜１０は、中垂直面７ｇ〜１０ｇを挟んで上辺７ａ〜１０ａへ向けて開口する左上切欠部７ｅと右上切欠部７ｆを有し、第２仕切板１１は、コの字型の断面形状をなす左側垂直面１１ｗ、下面１１ｋ及び右側垂直面１１ｍを有する。下面１１ｋに形成された長穴１１ｋａ〜１１ｋｄに第１仕切板７〜１０の中垂直面７ｇ〜１０ｇを差し込んで、第１の物品を収納するための第１の収納部を下面１１ｋを上げ底にして形成すると共に、左側垂直面１１ｗを挟んで第１の収納部と対向する空間及び右側垂直面１１ｍを挟んで第１の収納部と対向する空間を、第２の物品を収納するための第２の収納部とする。【選択図】図１
2014008964.tif 000002
【特許請求の範囲】
【請求項１】
互いに直交する上下方向と左右方向と前後方向のそれぞれに一対の平行な面を有する外箱と、前記外箱の内部に配置された立体構造を有する仕切構造物とを備え、前記仕切構造物によって前記外箱の内部が物品を収納するための複数の収納部に区画された収納箱であって、
前記仕切構造物は、前記仕切構造物が前記外箱の内部に配置された状態で、
上辺、下辺、左辺及び右辺を有する略長方形の形状をなし、所定間隔で平行に配置される複数の第１仕切板と、
前辺、後辺、左辺及び右辺を有する略長方形の形状をなし、前記左辺及び前記右辺と平行に左第１折曲線部と右第１折曲線部が所定の間隔で設けられ、前記第１仕切板と直交するように前記第１仕切板と組み合わされる第２仕切板と、
上辺、下辺、前辺及び後辺を有する略長方形の形状をなし、前記第１仕切板と直交するように前記第１仕切板と組み合わせされる２枚の第３仕切板と、備え、
複数の前記第１仕切板はそれぞれ、
前記上辺へ向けて開口する一対の左上切欠部及び右上切欠部と、
前記左上切欠部と前記右上切欠部とに挟まれた中垂直面と、
前記左辺と前記左上切欠部に挟まれた左垂直面と、
前記右辺と前記右上切欠部に挟まれた右垂直面と、
前記左垂直面に前記左辺から所定の寸法だけ離れた位置で前記上辺又は前記下辺へ向けて開口する左切欠部と、
前記右垂直面に前記右辺から所定の寸法だけ離れた位置で前記上辺又は前記下辺へ向け開口する右切欠部と、
前記左垂直面と前記中垂直面を繋ぐ左繋ぎ部と、
前記右垂直面と前記中垂直面を繋ぐ右繋ぎ部とを有し、
前記第２仕切板は、
前記左第１折曲線部と前記右第１折曲線部とに挟まれた下面と、
前記左第１折曲線部と前記右第１折曲線部にて折り曲げられて、前記下面を挟んで略コの字型の断面形状を形成する左側垂直面及び右側垂直面と、
前記左第１折曲線及び前記右第１折曲線から所定距離だけ離れた位置に前記前辺及び前記後辺と平行になるように前記下面に設けられた複数の下面長穴とを有し、
２枚の前記第３仕切板はそれぞれ、
前記所定間隔で平行に配置された複数の前記第１仕切板と同等の間隔で前記上辺又は前記下辺へ向けて開口する複数の切欠部を有し、
前記仕切構造物は、
前記第２仕切板の前記下面長穴に前記第１仕切板の前記中垂直面が挿入され、前記第２仕切板の前記下面を前記第１仕切板の前記左繋ぎ部及び前記右繋ぎ部に当接させ、前記第２仕切板の前記左側垂直面を前記第１仕切板の前記左垂直面に当接させ、前記第２仕切板の前記右側垂直面を前記第１仕切板の前記右垂直面に当接させ、複数の前記第１仕切板の前記左切欠部に一方の前記第３仕切板の複数の前記切欠部を嵌合させ、複数の前記第１仕切板の前記右切欠部に他方の前記第３仕切板の前記複数の前記切欠部を嵌合させることにより形成される、
第１の物品を収納するための、前記第２仕切板の前記下面、前記左側垂直面及び前記右垂直面と、複数の前記第１仕切板の前記中垂直面とで仕切られる第１の収納部と、
第２の物品を収納するための、前記第２仕切板の前記左側垂直面と、複数の前記第１仕切板の前記左垂直面と、前記第３仕切板とで仕切られる第２の収納部と、
前記第２の物品を収納するための、前記第２仕切板の前記右垂直面と、複数の前記第１仕切板の前記右垂直面と、前記第３仕切板とで仕切られる第３の収納部とを有することを特徴とする収納箱。
【請求項２】
前記第１仕切板は、前記上辺及び前記下辺と平行なフルート目を有する段ボール材からなることを特徴とする請求項１記載の収納箱。
【請求項３】
前記第２仕切板は、前記前辺及び前記後辺と平行なフルート目を有する段ボール材からなることを特徴とする請求項１又は２に記載の収納箱。
【請求項４】
前記第１仕切板において、前記左切欠部から前記左辺までの間及び前記右切欠部から前記右辺までの間ではそれぞれ、前記下辺側の一定領域が切除されていることを特徴とする請求項１乃至３のいずれか１項に記載の収納箱。
【請求項５】
前記第２仕切板は、
前記左側垂直面の前記左辺側に設けられた左第２折曲線部を介して前記左側垂直面と連続し、前記第２の物品が前記第２の収納部に収納された後に前記左第２折曲線部が折り曲げられることで前記第１仕切板の前記左垂直面の上側を覆う左上面と、
前記右側垂直面の前記右辺側に設けられた右第２折曲線部を介して前記右側垂直面と連続し、前記第２の物品が前記第３の収納部に収納された後に前記右第２折曲線部が折り曲げられることで前記第１仕切板の前記右垂直面の上側を覆う右上面とを有することを特徴とする請求項１乃至４のいずれか１項に記載の収納箱。
【請求項６】
前記第１仕切板は、
前記左垂直面の前記上辺に設けられた左凸部と、
前記右垂直面の前記上辺に設けられた右凸部とを有し、
前記第２仕切板は、
前記左上面における前記下面長穴の延長直線上において前記左第２折曲線部から所定距離だけ離れた位置に設けられた複数の左上面長穴と、
前記右上面における前記下面長穴の延長直線上において前記右第２折曲線部から所定距離だけ離れた位置に設けられた複数の右上面長穴とを有し、
前記左上面長穴に前記左凸部が挿入され、前記右上面長穴に前記右凸部が挿入されることを特徴とする請求項１乃至５のいずれか１項に記載の収納箱。
【請求項７】
前記左上面長穴は、前記左第２折曲線部から遠い側の幅は前記第１仕切板の板厚と同等であり、且つ、前記左第２折曲線部に近い側の幅はそれよりも広く、
前記右上面長穴は、前記右第２折曲線部から遠い側の幅は前記第１仕切板の板厚と同等であり、且つ、前記右第２折曲線部に近い側の幅はそれよりも広いことを特徴とする請求項６記載の収納箱。
【請求項８】
前記第１仕切板は、
前記左辺と前記上辺との角部に設けられた左角切欠部と、
前記右辺と前記上辺との角部に設けられた右角切欠部とを有し、
前記第２仕切板は、
前記左上面の前記左辺側に設けられた左第３折曲線部を介して前記左上面と連続し、前記左第３折曲線部にて折り曲げられて前記左角切欠部を覆う左外垂直面と、
前記右上面の前記右辺側に設けられた右第３折曲線部を介して前記右上面と連続し、前記右第３折曲線部にて折り曲げられて前記右角切欠部を覆う右外垂直面とを有することを特徴とする請求項５乃至８のいずれか１項に記載の収納箱。
【請求項９】
前記第２仕切板は、
前記下面長穴の延長直線上において前記左辺に向けて開口するように前記左外垂直面に設けられ、複数の前記第１仕切板の前記左角切欠部に差し込まれる複数の左外切欠部と、
前記下面長穴の延長直線上において前記右辺に向けて開口するように前記右外垂直面に設けられ、複数の前記第１仕切板の前記右角切欠部に差し込まれる複数の右外切欠部とを有することを特徴とする請求項８記載の収納箱。
【請求項１０】
複数の前記左外切欠部及び複数の前記右外切欠部のそれぞれの開口部には斜辺が設けられていることを特徴とする請求項９記載の収納箱。
【請求項１１】
前記仕切構造物は、上辺、下辺、左辺及び右辺を有する略長方形の形状をなす２枚の第４仕切板を備え、
２枚の前記第４仕切板はそれぞれ、
垂直面と、
前記垂直面の前記上辺側と前記下辺側にそれぞれ設けられた上折曲線部と下折曲線部とを介して前記垂直面と連続し、前記上折曲線部と前記下折曲線部にて折り曲げられて、前記垂直面を挟んで略コの字型の断面形状を形成する上面及び下面と、
前記下折曲線部と平行な方向に伸びるように前記下面に形成された長穴とを有し、
前記第２仕切板の前記前辺から最も近い前記下面長穴に差し込まれた前記第１仕切板の前記中垂直面が、一方の前記第４仕切板の前記長穴に差し込まれて当該第４仕切板の前記垂直面と当接すると共に、当該第４仕切板の前記下面が前記第２仕切板の前記下面と当接し、
前記第２仕切板の前記後辺から最も近い前記下面長穴に差し込まれた前記第１仕切板の前記中垂直面が、他方の前記第４仕切板の前記長穴に差し込まれて当該第４仕切板の前記垂直面と当接すると共に、当該第４仕切板の前記下面が前記第２仕切板の前記下面と当接することを特徴とする請求項１乃至１０のいずれか１項に記載の収納箱。
【請求項１２】
前記第４仕切板は、前記左辺及び前記右辺と平行なフルート目を有する段ボール材からなることを特徴とする請求項１１記載の収納箱。
【請求項１３】
前記仕切構造物は、上辺、下辺、前辺及び後辺を有する略長方形の形状をなし、前記第２仕切板の前記下面を支持する４枚の支持板を有し、
複数の前記第１仕切板はそれぞれ、前記下辺の中央部に前記下辺に向けて開口し、前記支持板が差し込まれる中下切欠部を有し、
４枚の前記支持板はそれぞれ、前記後辺寄りに前記下辺へ向けて開口する切欠部を有し、
４枚の前記支持板をそれぞれ前記切欠部において鈍角に折り曲げ、２枚の前記支持板を前記前辺から前記切欠部に至る部分が同一平面を形成するように前記切欠部で噛み合わせたもの２組が更に前記前辺から前記切欠部に至る面どうしを密着対向させた状態で、前記所定間隔で平行に配置された複数の前記第１仕切板の前記中下切欠部に挿入されることを特徴とする請求項１乃至１２のいずれか１項に記載の収納箱。
【請求項１４】
前記支持板は、前記前辺及び前記後辺に平行なフルート目を有する段ボール材で形成されることを特徴とする請求項１３記載の収納箱。
【請求項１５】
前記支持板が前記第１仕切板の前記中下切欠部に挿入された状態において、４枚の前記支持板は、前記外箱の板厚と略同一の長さだけ前記第１仕切板の前記下辺から突出することを特徴とする請求項１３又は１４記載の収納箱。
【請求項１６】
２枚の前記第１仕切板を前記上辺どうしで向かい合わせて平面状に配置したときに前記左上切欠部と前記右上切欠部とを合わせた形状が、前記支持板の形状と略一致することを特徴とする請求項１３乃至１５のいずれか１項に記載の収納箱。
【請求項１７】
複数の前記第１仕切板のうちの少なくとも２枚の第１仕切板は、当該２枚の第１仕切板のそれぞれの前記下辺が下折曲線部となって、複数の前記第１仕切板が並べられる前記所定間隔と同じ幅を有する長方形の下面を介して連続し、前記２枚の第１仕切板と前記下面とが略コの字型の断面形状を有するように前記下折曲線部にて折り曲げられた構造を有することを特徴とする請求項１乃至１６に記載の収納箱。
【発明の詳細な説明】
【技術分野】
【０００１】
本発明は、物品を収納する収納箱に関し、特に箱の内部に仕切を設けて複数の物品を収納する集合型の収納箱に関する。
【背景技術】
【０００２】
物品を収納（梱包）する収納箱としては、段ボールを主材として形成したものが広く用いられている。複数の物品をまとめて収納する集合型の収納箱の場合、一般的に、段ボール材からなるカートン箱に、段ボール製の垂直板を複数組み合わせて仕切を形成し、仕切により形成された空間（収納室）に物品を収納する方法が採られている。
【０００３】
このような仕切構造には、物品の形態（形状、大きさ等）に応じて、様々な改善が施されてきた。例えば、緩衝機能を高めた仕切構造物が提案されている（特許文献１参照）。具体的には、特許文献１の仕切構造物では、電子機器の回路基板等の破損し易い物品を収納するために、コの字断面の第１仕切板及び第２仕切板の垂直面に設けた長穴同士を嵌合して互いに直交させて、物品の収納室及び収納室を囲むように緩衝空間を形成している。このとき、第１仕切板の底板を外箱（カートン箱）の底板に当接させ、収納室の底板を第２仕切板で形成し、第１仕切板の底板と収納室の底板（第２仕切板の底板）との間に緩衝空間を持たせることで、下面からの衝撃を和らげる効果が得られるようにしている。
【０００４】
また、収納箱自体の容積効率を向上させるために、底板に対して４枚の板が連なる一対の折り板を設けた収納箱が提案されている（特許文献２参照）。具体的には、底板に対して折り板を折り曲げて２枚を側板とし、残る２枚の板をコの字型に折り込んで箱内側へ折り曲げることで、側板と底板が二重構造となり、更に、側板から一定距離離れた仕切を形成する。そして、側面を構成する２枚の側板のうちの内側の側板と仕切板とに長穴を形成し、そこへ長穴が形成された別の仕切板を板同士が直交するように差し込んで、複数の収納室を形成している。この収納箱では、収納箱自体で仕切を形成することができるため、構成部品が少なくて済み、また、収納室を囲む緩衝空間がないため、収納箱全体の容積を有効に利用することが可能になる。
【先行技術文献】
【特許文献】
【０００５】
【特許文献１】特開２００７−１５９２号公報
【特許文献２】特開２００２−１１４２１９号公報
【発明の概要】
【発明が解決しようとする課題】
【０００６】
しかしながら、サイズや重量の異なる２種類の物品を多量に同梱する場合、上記先行技術では対応できない場合がある。その一例として、フォトプリンタ装置の消耗品として印刷用紙とインクカセットとをセット販売する場合について、図２６を参照して、以下に具体的に説明する。図２６は、化粧箱１０１に、物品として６個のペーパーセット１０２と３個のインクカセット１０３を収納し、１０個の化粧箱１０１をカートン箱１０４に収納する従来の梱包の一形態を示す図である。
【０００７】
店頭では、化粧箱１０１単位で、ユーザに小分け販売が行われている。カートン箱１０４に仕切構造はなく、化粧箱１０１を丈夫な紙等で形成することにより、化粧箱１０１が仕切構造の代役を兼ねている。
【０００８】
しかし、多量の消耗品を使う写真店等の業務用には、物品を収容した化粧箱１０１をカートン箱１０４に収容する化粧箱方式よりも、コストや物品の取り扱いの観点から、中身だけを多量にカートン箱１０４に収納する集合梱包方式の方が好ましい。
【０００９】
ところが、カートン箱１０４に多量の物品を収納すると、全物品重量が大きくなるために、上記特許文献１のような構造では、長穴部分から亀裂が生じて仕切板が破れてしまうおそれがあり、収納された物品の適切な保護が図れない。また、上記特許文献２のような構造では、落下による収納箱の陥没や変形が収納された物品を直撃するために、物品の適切な保護が図れない。更に、上記特許文献１，２に記載された技術のいずれも、異形状の物品を同梱する目的には対応しておらず、それらを適切に収納するには不向きである。
【００１０】
本発明は、２種類の物品を集合梱包する収納箱について、落下や衝撃を受けても破損し難く、収納された物品を適切に保護することができる技術を提供することを目的とする。
【課題を解決するための手段】
【００１１】
本発明に係る収納箱は、互いに直交する上下方向と左右方向と前後方向のそれぞれに一対の平行な面を有する外箱と、前記外箱の内部に配置された立体構造を有する仕切構造物とを備え、前記仕切構造物によって前記外箱の内部が物品を収納するための複数の収納部に区画された収納箱であって、前記仕切構造物は、前記仕切構造物が前記外箱の内部に配置された状態で、上辺、下辺、左辺及び右辺を有する略長方形の形状をなし、所定間隔で平行に配置される複数の第１仕切板と、前辺、後辺、左辺及び右辺を有する略長方形の形状をなし、前記左辺及び前記右辺と平行に左第１折曲線部と右第１折曲線部が所定の間隔で設けられ、前記第１仕切板と直交するように前記第１仕切板と組み合わされる第２仕切板と、上辺、下辺、前辺及び後辺を有する略長方形の形状をなし、前記第１仕切板と直交するように前記第１仕切板と組み合わせされる２枚の第３仕切板と、備え、複数の前記第１仕切板はそれぞれ、前記上辺へ向けて開口する一対の左上切欠部及び右上切欠部と、前記左上切欠部と前記右上切欠部とに挟まれた中垂直面と、前記左辺と前記左上切欠部に挟まれた左垂直面と、前記右辺と前記右上切欠部に挟まれた右垂直面と、前記左垂直面に前記左辺から所定の寸法だけ離れた位置で前記上辺又は前記下辺へ向けて開口する左切欠部と、前記右垂直面に前記右辺から所定の寸法だけ離れた位置で前記上辺又は前記下辺へ向け開口する右切欠部と、前記左垂直面と前記中垂直面を繋ぐ左繋ぎ部と、前記右垂直面と前記中垂直面を繋ぐ右繋ぎ部とを有し、前記第２仕切板は、前記左第１折曲線部と前記右第１折曲線部とに挟まれた下面と、前記左第１折曲線部と前記右第１折曲線部にて折り曲げられて、前記下面を挟んで略コの字型の断面形状を形成する左側垂直面及び右側垂直面と、前記左第１折曲線及び前記右第１折曲線から所定距離だけ離れた位置に前記前辺及び前記後辺と平行になるように前記下面に設けられた複数の下面長穴とを有し、２枚の前記第３仕切板はそれぞれ、前記所定間隔で平行に配置された複数の前記第１仕切板と同等の間隔で前記上辺又は前記下辺へ向けて開口する複数の切欠部を有し、前記仕切構造物は、前記第２仕切板の前記下面長穴に前記第１仕切板の前記中垂直面が挿入され、前記第２仕切板の前記下面を前記第１仕切板の前記左繋ぎ部及び前記右繋ぎ部に当接させ、前記第２仕切板の前記左側垂直面を前記第１仕切板の前記左垂直面に当接させ、前記第２仕切板の前記右側垂直面を前記第１仕切板の前記右垂直面に当接させ、複数の前記第１仕切板の前記左切欠部に一方の前記第３仕切板の複数の前記切欠部を嵌合させ、複数の前記第１仕切板の前記右切欠部に他方の前記第３仕切板の前記複数の前記切欠部を嵌合させることにより形成される、第１の物品を収納するための、前記第２仕切板の前記下面、前記左側垂直面及び前記右垂直面と、複数の前記第１仕切板の前記中垂直面とで仕切られる第１の収納部と、第２の物品を収納するための、前記第２仕切板の前記左側垂直面と、複数の前記第１仕切板の前記左垂直面と、前記第３仕切板とで仕切られる第２の収納部と、前記第２の物品を収納するための、前記第２仕切板の前記右垂直面と、複数の前記第１仕切板の前記右垂直面と、前記第３仕切板とで仕切られる第３の収納部とを有することを特徴とする。
【発明の効果】
【００１２】
本発明に係る収納箱は、耐衝撃性が高められて破損し難くなり、これにより、収納された物品を適切に保護することができる。
【図面の簡単な説明】
【００１３】
【図１】本発明の第１実施形態に係る収納箱の構造を示す分解斜視図である。
【図２】図１に示す仕切構造物を構成する第１仕切板の構造を示す平面図である。
【図３】図１に示す仕切構造物を構成する第２仕切板の構造を示す平面図及び部分拡大図である。
【図４】図１に示す仕切構造物を構成する第３仕切板の構造を示す平面図である。
【図５】図１に示す仕切構造物を構成する第４仕切板の構造を示す平面図である。
【図６】図１に示す仕切構造物の組立手順を示す第１の図である。
【図７】図１に示す仕切構造物の組立手順を示す第２の図である。
【図８】図１に示すカートン箱の組立手順を示す図である。
【図９】図８のカートン箱への図７の仕切構造物の配置手順と、組み立てられた収納箱の内部構造を示す図である。
【図１０】図１に示す収納箱に物品（ペーパーセットとインクカセット）を収納する手順を示す斜視図と、収納箱に物品が収納された状態を示す断面図である。
【図１１】図１に示す収納箱の封緘手順を示す斜視図と、封緘された収納箱の内部構造を示す断面図である。
【図１２】図１に示す収納箱の落下方向を規定した図である。
【図１３】図１に示す収納箱の耐衝撃性を説明するために、図２の第１仕切板と図３の第２仕切板とを並べて示す斜視図である。
【図１４】本発明の第２実施形態に係る収納箱の構造を示す分解斜視図である。
【図１５】図１４に示す仕切構造物を構成する第１仕切板の構造を示す平面図である。
【図１６】図１４に示す仕切構造物を構成する支持板の構造を示す平面図である。
【図１７】図１４に示す仕切構造物の組立手順を示す図である。
【図１８】図８のカートン箱への図１７の仕切構造物の配置手順を示す図、カートン箱に仕切構造物が配置された状態を示す断面図、及び、収納箱にペーパーセットとインクカセットが収納された状態を示す断面図である。
【図１９】図１４に示す仕切構造物を構成する第１仕切板と支持板とを１枚の段ボール材から切り出すときの一態様を示す図である。
【図２０】本発明の第３実施形態に係る収納箱の構造を示す分解斜視図である。
【図２１】図２０に示す仕切構造物を構成する第１仕切板の構造を示す平面図である。
【図２２】図２１に示す平面状の第１仕切板を、仕切構造物を組み立てるために立体的形状に変形させる形態を示す図である。
【図２３】図２０に示す仕切構造物の組立手順を示す第１の図である。
【図２４】図８のカートン箱への図２３の仕切構造物の配置手順を示す図である。
【図２５】図２４に示す収納箱に物品（ペーパーセットとインクカセット）を収納する手順を示す斜視図と、収納箱に物品が収納された状態を示す断面図である。
【図２６】化粧箱にペーパーセットとインクカセットを収容し、化粧箱をカートン箱に収容する従来の梱包の一形態を示す図である。
【発明を実施するための形態】
【００１４】
以下、本発明の実施の形態について、添付図面を参照して詳細に説明する。
【００１５】
＜第１実施形態＞
図１は、本発明の第１実施形態に係る収納箱１の構造を示す分解斜視図であり、構成部品と、構成部品の組立形態と、物品の収容形態を模式的に示している。図１に示すように、収納箱１について、前後、左右、上下の各方向を規定するものとする。
【００１６】
本実施形態において収納箱１に収納される物品は２種類あり、具体的には、第１の物品としての６０個のペーパーセット２と、第２の物品としての３０個のインクカセット３であるとする。ペーパーセット２とインクカセット３はそれぞれ、図２６を参照して説明したペーパーセット１０２とインクカセット１０３と同じである。
【００１７】
ペーパーセット２は印刷用紙を重ねて二つ折したポリシートに挟みシートの３方を熱融着で封緘したもので、そのサイズは、ｘ１＝約１９０ｍｍ、ｙ１＝約１１０ｍｍ、ｚ１＝約４ｍｍで、その重量は約８０ｇである。ペーパーセット２を収納箱１に収納する際には、自己荷重によって反りやシワが生じないように、封緘した３方の縁（へり）を左右と上方向に向け、図１に示すように、幅寸法（ｙ１）を上下方向にして収納することが好ましい。また、インクカセット３はインクを塗ったフィルムを筒状に巻いて筺体に収容したものであり、そのサイズは、ｘ２＝約１４０ｍｍ、ｙ２＝約８０ｍｍ、ｚ２＝約２５ｍｍで、その重量は約７０ｇである。インクカセット３を収納箱１に収納する際には、フィルムの弛みを防ぐため、長さ寸法（ｘ２）を上下方向にして収納することが好ましい。
【００１８】
梱包費を抑制し、スペース効率を高める観点から、物品は、１点ずつではなく複数をまとめて１つの収納室に収納することが望ましく、収納箱１は、このような要件を踏まえて、サイズの異なる２物品をまとめて収納可能に構成されている。以下、その構造について詳細に説明する。
【００１９】
［収納箱１の全体的な構造］
収納箱１は、外箱である厚さＬ１の段ボール材からなる直方体のカートン箱４と、カートン箱４の内部に配置される複数の仕切板で形成された仕切構造物６とを有し、収納箱１の内部は仕切構造物６によって複数の収納部に区画された構造を有する。なお、カートン箱４は、物品の収納後には、封緘テープ５で封緘される。
【００２０】
本実施形態では、収納箱１の内部には、複数の収納部として、第１の収納部、第２の収納部及び第３の収納部が形成される。第１の収納部は、ペーパーセット２を収納するためのペーパーセット収納部Ｐ１，Ｐ２，Ｐ３である。第２の収納部は、インクカセット３を収納するためのインクカセット収納部Ｃ１，Ｃ２，Ｃ３であり、第３の収納部は、インクカセット３を収納するためのインクカセット収納部Ｃ４，Ｃ５，Ｃ６である。なお、図１では、図示角度の関係で、インクカセット収納部Ｃ５，Ｃ６は、第２仕切板１１の陰に隠れて見えない。
【００２１】
ペーパーセット収納部Ｐ１〜Ｐ３は、収納箱１の左右方向の中央において前後方向に形成されており、ペーパーセット収納部Ｐ１〜Ｐ３にはそれぞれ、ペーパーセット２の幅寸法（ｙ１）を上下方向にして、２０個ずつ、重量で約１６００ｇずつが収納される。インクカセット収納部Ｃ１〜Ｃ３はペーパーセット収納部Ｐ１〜Ｐ３の左側に形成され、インクカセット収納部Ｃ４〜Ｃ６はペーパーセット収納部Ｐ１〜Ｐ３の右側に形成されている。このように、左右方向と前後方向とで対称な構造とすることにより、収納箱１全体の重心をその中央に一致させて、運搬時の重量バランスに優れたものとしている。
【００２２】
インクカセット収納部Ｃ１〜Ｃ６のそれぞれには、インクカセット３の長さ寸法（ｘ２）を上下方向にして、５個ずつ、重量で約３５０ｇずつが収納される。この設定の場合、前後方向では、２０個のペーパーセット２の総厚が約８０ｍｍ（＝４ｍｍ×２０個）となり、インクカセット３の幅寸法（ｙ２＝約８０ｍｍ）と同等になるため、仕切を構成しやすく、また数量も互いに５の倍数となって数えやすい。
【００２３】
一方、上下方向では、インクカセット３の長さ寸法（ｘ２）が約１９０ｍｍであるのに対し、ペーパーセット２の幅寸法（ｙ１）は約１１０ｍｍであり、約８０ｍｍの差がある。そこで、後述の通り、ペーパーセット収納部Ｐ１〜Ｐ３を上げ底構造として、上下方向での位置を調整すると共に、底上げにより形成された空間を緩衝空間として用いることで、落下衝撃に備えている。なお、仕切構造物６には、後述の通り、四囲（左右前後方向）に緩衝空間が設けられており、耐衝撃性に配慮している。
【００２４】
［仕切構造物６の構成部品］
仕切構造物６は、図１に示す通り、第１仕切板７，８，９，１０と、第２仕切板１１と、第３仕切板１２，１３と、第４仕切板１４，１５とを組み合わせて、立体構造をなすように構成されている。以下、仕切構造物６の構成部品（仕切板）について、図２乃至図５を参照して詳細に説明する。
【００２５】
｛第１仕切板７〜１０の構造｝
図２は、仕切構造物６を構成する第１仕切板７の構造を示す平面図である。第１仕切板８〜１０はそれぞれ、第１仕切板７と同じ構造を有し、同じ材料からなるため、ここでは、第１仕切板７について説明し、第１仕切板８〜１０についての説明を省略する。
【００２６】
第１仕切板７は、段ボール材からなり、一対の上辺７ａ及び下辺７ｂと、これらに直角な一対の左辺７ｃ及び右辺７ｄとを有する、左右対称な略長方形の平板状部材である。第１仕切板７を構成する段ボール材のフルート目Ｍ１は、左右方向（上辺７ａ及び下辺７ｂに平行な方向）となっている。なお、段ボール材は、フルート目の方向によって耐強度性能が異なり、フルート目方向に掛かる力による圧縮や座屈に強く、また、フルート目と直交する軸を中心として折れ曲がるモーメントにも強い。このような特徴を生かして、本実施形態では、各部品に適したフルート目方向を設定している。
【００２７】
第１仕切板７には、幅Ｌ１１、長さＬ１２の寸法で、上辺７ａへ向けて開口する左上切欠部７ｅと右上切欠部７ｆが形成されている。左上切欠部７ｅと右上切欠部７ｆとの間には幅Ｌ１３の寸法で中垂直面７ｇが形成されており、左辺７ｃと左上切欠部７ｅとの間には左垂直面７ｈが、右辺７ｄと右上切欠部７ｆとの間には右垂直面７ｉがそれぞれ形成されている。左垂直面７ｈには、左上切欠部７ｅから寸法Ｌ１４だけ左側に離れた位置に左切欠部７ｊが形成されており、同様に、右垂直面７ｉには、右上切欠部７ｆから寸法Ｌ１４だけ右側に離れた位置に右切欠部７ｋが形成されている。なお、寸法Ｌ１４は、５個のインクカセット３を並べた厚さに余裕量を加えた寸法に設定されている。
【００２８】
左切欠部７ｊから左辺７ｃまでの間では、下辺７ｂ側の一定領域が切除されて左斜辺７ｗが形成されており、同様に、右切欠部７ｋから右辺７ｄまでの間でも、下辺７ｂ側の一定領域が切除されて右斜辺７ｍが形成されている。また、左垂直面７ｈの上辺において左上切欠部７ｅから寸法Ｌ１５だけ離れた位置には上側に突出する左凸部７ｎが形成されており、同様に、右垂直面７ｉの上辺において右上切欠部７ｆから寸法Ｌ１５だけ離れた対置には上側に突出する右凸部７ｏが形成されている。更に、上辺７ａと左辺７ｃとの角部には左角切欠部７ｒが形成され、同様に、上辺７ａと右辺７ｄとの角部には右角切欠部７ｓが形成されている。そして、左垂直面７ｈと中垂直面７ｇとは左繋ぎ部７ｐによって繋がれており、右垂直面７ｉと中垂直面７ｇとは右繋ぎ部７ｑによって繋がれている。
【００２９】
｛第２仕切板１１の構造｝
図３は、第２仕切板１１の構造を示す平面図である。図３（Ａ）は、第２仕切板１１の全体図であり、図３（Ｂ）は、左外切欠部１１ｐｂ，１１ｐｃ，１１ｐｄ，１１ｐｅ及び右外切欠部１１ｑｂ，１１ｑｃ，１１ｑｄ，１１ｑｅの詳細な形状を示す拡大図である。
【００３０】
第２仕切板１１は、段ボール材からなり、一対の前辺１１ａ及び後辺１１ｂと、これらに直角な一対の左辺１１ｃ及び右辺１１ｄとを有し、左右対称且つ前後対称な略長方形の平板状部材である。第２仕切板１１を構成する段ボール材のフルート目Ｍ２は、左右方向（前辺１１ａ及び後辺１１ｂに平行な方向）となっている。なお、図３に示すように、前辺１１ａから後辺１１ｂまでの距離を寸法Ｌ２１とする。
【００３１】
第２仕切板１１には、左第１折曲線部１１ｅ、右第１折曲線部１１ｆ、左第２折曲線部１１ｇ、右第２折曲線部１１ｈ、左第３折曲線部１１ｉ、右第３折曲線部１１ｊがそれぞれ、平行して設けられる。左第１折曲線部１１ｅから右第１折曲線部１１ｆまでの寸法Ｌ２２は、ペーパーセット２の長さ寸法（ｘ１）に余裕量を加えた寸法である。左第１折曲線部１１ｅから左第２折曲線部１１ｇまでの寸法Ｌ２３と、右第１折曲線部１１ｆから右第２折曲線部１１ｈまでの寸法Ｌ２３は共に、第１仕切板７の左上切欠部７ｅ及び右上切欠部７ｆの長さＬ１２の寸法と同じである。
【００３２】
これらの折曲線部によって、第２仕切板１１は、左辺１１ｃから右辺１１ｄに向けて連続する、左外垂直面１１ｐ、左上面１１ｎ、左側垂直面１１ｗ、下面１１ｋ、右側垂直面１１ｍ、右上面１１ｏ、及び右外垂直面１１ｑに区分けされる。ここで、左第３折曲線部１１ｉは中間部で前後に途切れ、途切れた部分には、直交する２本の左切込線１１ｉａ，１１ｉｂと幅の狭い左捨て穴１１ｉｃとによって、コの字型に切り抜かれている。このコの字型に切り抜かれた部分の左側は、左外垂直面１１ｐから左上面１１ｎ側へ突出した左外凸部１１ｐａとなっており、左上面１１ｎには左捨て穴１１ｉｃに隣接した半円形の左指掛け穴１１ｎａが形成されている。同様に、右第３折曲線部１１ｊも中間部で前後に途切れ、途切れた部分には、直交する２本の右切込線１１ｊａ，１１ｊｂと幅の狭い右捨て穴１１ｊｃによって、コの字型に切り抜かれている。このコの字型に切り抜かれた部分の右側は、右外垂直面１１ｑから右上面１１ｏ側へ突出した右外凸部１１ｑａとなっており、右上面１１ｏには右捨て穴１１ｊｃに隣接した半円形の右指掛け穴１１ｏａが形成されている。
【００３３】
下面１１ｋには、左第１折曲線部１１ｅから右側に所定距離（寸法Ｌ２４）だけ離れ、且つ、右第１折曲線部１１ｆから左側に同じ所定距離（寸法Ｌ２４）だけ離れるように、長さＬ２５の下面長穴１１ｋａ，１１ｋｂ，１１ｋｃ，１１ｋｄが、前後方向に寸法Ｌ２６で平行に等間隔で設けられている。下面長穴１１ｋａ〜１１ｋｄは、第１仕切板７の中垂直面７ｇを差し込むための穴部であり、第１仕切板７の板厚と同等幅であり、寸法Ｌ２４は第１仕切板７の寸法Ｌ１１より所定量短く、寸法Ｌ２５は第１仕切板７の寸法Ｌ１３より所定量長く設定されている。また、寸法Ｌ２６は、２０個のペーパーセット２を収納したときの厚さ（＝ｚ１×２０）に余裕量を加えた寸法で、且つ、インクカセット３の幅寸法（ｙ２）に余裕量を加えた寸法に設定されている。
【００３４】
左上面１１ｎには、下面長穴１１ｋａ〜１１ｋｄの延長直線上に、左第２折曲線部１１ｇから所定距離（寸法Ｌ２７）だけ左側に離れるように、左上面長穴１１ｎｂ，１１ｎｃ，１１ｎｄ，１１ｎｅが形成されている。同様に、右上面１１ｏには、下面長穴１１ｋａ〜１１ｋｄの延長直線上に、右第２折曲線部１１ｈから同じ所定距離（寸法Ｌ２７）だけ右側に離れるように、右上面長穴１１ｏｂ，１１ｏｃ，１１ｏｄ，１１ｏｅが形成されている。左上面長穴１１ｎｂ〜１１ｎｅは、第１仕切板７の左凸部７ｎを挿入するための穴部であり、右上面長穴１１ｏｂ〜１１ｏｅは、第１仕切板７の右凸部７ｏを挿入するための穴部である。寸法Ｌ２７は、第１仕切板７の寸法Ｌ１５より所定量短く設定される。なお、左上面長穴１１ｎｂ〜１１ｎｅ及び右上面長穴１１ｏｂ〜１１ｏｅは、下面１１ｋから遠い側の穴幅は第１仕切板７の板厚と同等となっており、下面１１ｋに近い側の幅はそれより広くなっている。
【００３５】
左外垂直面１１ｐには、下面長穴１１ｋａ〜１１ｋｄの延長直線上において、左外切欠部１１ｐｂ，１１ｐｃ，１１ｐｄ，１１ｐｅが形成されている。同様に、右外垂直面１１ｑには、下面長穴１１ｋａ〜１１ｋｄの延長直線上において、右外切欠部１１ｑｂ，１１ｑｃ，１１ｑｄ，１１ｑｅが形成されている。左外切欠部１１ｐｂ〜１１ｐｅと右外切欠部１１ｑｂ〜１１ｑｅはそれぞれ、第１仕切板７の左角切欠部７ｒと右角切欠部７ｓにそれぞれ挿入され、第１仕切板７の左辺７ｃと右辺７ｄとを挟み込む。そのため、左外切欠部１１ｐｂ〜１１ｐｅと右外切欠部１１ｑｂ〜１１ｑｅのそれぞれの幅は、第１仕切板７の板厚と同等に設定され、図３（Ｂ）に示すように、各入口（開口部）には挿入作業が容易となるように斜面１１ｒが設けられている。なお、左側垂直面１１ｗと右側垂直面１１ｍには、長穴や切欠部は形成されていない。
【００３６】
｛第３仕切板１２，１３の構造｝
図４は、第３仕切板１２の構造を示す平面図である。なお、第３仕切板１３は、第３仕切板１２と同じ構造を有し、同じ材料からなるため、ここでは、第３仕切板１２について説明し、第３仕切板１３についての説明を省略する。
【００３７】
第３仕切板１２は、段ボール材からなり、一対の上辺１２ａ及び下辺１２ｂと、これらに直角な一対の前辺１２ｃ及び後辺１２ｄとを有する、前後対称な長方形の平板である。第３仕切板１２を構成する段ボール材のフルート目Ｍ３は、上下方向（前辺１２ｃ及び後辺１２ｄに平行な方向）となっている。
【００３８】
第３仕切板１２の上側には、上切欠部１２ｅ，１２ｆ，１２ｇ，１２ｈが形成されている。上切欠部１２ｅ〜１２ｈはそれぞれ、第１仕切板７の板厚と同等の幅で、第２仕切板１１の寸法Ｌ２６と等しい寸法Ｌ３１の間隔で、上辺１２ａで開口している。
【００３９】
｛第４仕切板１４，１５の構造｝
図５は、第４仕切板１４の構造を示す平面図である。なお、第４仕切板１５は、第４仕切板１４と同じ構造を有し、同じ材料からなるため、ここでは、第４仕切板１４について説明し、第４仕切板１５についての説明を省略する。
【００４０】
第４仕切板１４は、段ボール材からなり、一対の上辺１４ａ及び下辺１４ｂと、これらに直角な一対の左辺１４ｃ及び右辺１４ｄとを有する、左右対称な略長方形の平板である。第４仕切板１４を構成する段ボール材のフルート目Ｍ４は、上下方向（左辺１４ｃ及び右辺１４ｄに平行な方向）となっている。
【００４１】
第４仕切板１４は、平行に並んだ上折曲線部１４ｅと下折曲線部１４ｆを有しており、これらの折曲線部によって、上面１４ｇと、垂直面１４ｈと、下面１４ｉとに区分けされる。また、第４仕切板１４には、第１仕切板７の中垂直面７ｇを差し込むための長穴１４ｊが形成されており、長穴１４ｊの寸法Ｌ４１は第２仕切板１１の寸法Ｌ２５と同じであり、寸法Ｌ４２は第１仕切板７の板厚より所定量広い。また、第４仕切板１４では、上辺１４ａと左辺１４ｃとの角部に切欠部１４ｋが形成され、上辺１４ａと右辺１４ｄとの角部に切欠部１４ｗが形成されている。
【００４２】
［仕切構造物６の組立手順］
仕切構造物６の組立手順について、図６及び図７を参照して説明する。なお、先述の通り、例えば、第１仕切板８，９，１０はそれぞれ、第１仕切板７と同じ構造を有するため、第１仕切板７の左切欠部７ｊに対応して、左切欠部８ｊ，９ｊ，１０ｊを備える。このように以下の説明では、同じ構造の部材の同じ部位に対して、最下位桁に共通の符号を付するものとする。
【００４３】
図６及び図７はそれぞれ、仕切構造物６の組立手順を示す図である。図６（Ａ）に示すように、最初に、２つの第３仕切板１２，１３を平行に並べ、上から４つの第１仕切板７〜１０の左下切欠部７ｊ〜１０ｊを、第３仕切板１２に寸法Ｌ３１で所定間隔に設けた上切欠部１２ｅ〜１２ｈへ嵌合させる。同じく右下切欠部７ｋ〜１０ｋ（８ｋ〜１０ｋは不図示）も、寸法Ｌ３１で所定間隔に設けた上切欠部１３ｅ〜１３ｈへ嵌合させる。
【００４４】
続いて、下面１１ｋを挟んで略コの字型の断面形状となるように左第１折曲線部１１ｅと右第１折曲線部１１ｆで折り曲げた第２仕切板１１を、下面長穴１１ｋａ〜１１ｋｄに第１仕切板７〜１０の中垂直面７ｇ〜１０ｇが差し込まれるように、第１仕切板７〜１０に対して組み込む。このとき、先述の通り、下面長穴１１ｋａ〜１１ｋｄの寸法Ｌ２５は中垂直面７ｇ〜１０ｇの寸法Ｌ１３より所定量長く設定されているため、スムーズに差し込むことができる。こうして、図６（Ｂ）の状態が得られる。
【００４５】
図６（Ｂ）の状態では、第２仕切板１１の下面１１ｋが第１仕切板７〜１０の左繋ぎ部７ｐ〜１０ｐ及び右繋ぎ部７ｑ〜１０ｑの上側面に当接する。また、先述の通り、第１仕切板７の左上切欠部７ｅ及び右上切欠部７ｆの長さＬ１２の寸法は、第２仕切板１１の左第１折曲線部１１ｅから左第２折曲線部１１ｇまでの寸法Ｌ２３及び右第１折曲線部１１ｆから右第２折曲線部１１ｈまでの寸法Ｌ２３と同じである。そのため、第２仕切板１１の左側垂直面１１ｗに切欠きを設けていなくても、第２仕切板１１の下面１１ｋが第１仕切板７〜１０の左繋ぎ部７ｐ〜１０ｐに接するまで、左側垂直面１１ｗの全体を左上切欠部７ｅ〜１０ｅに差し込むことができる。同様に、右側垂直面１１ｍに切欠きを設けていなくても、第２仕切板１１の下面１１ｋが第１仕切板７〜１０の右繋ぎ部７ｑ〜１０ｑに接するまで、右側垂直面１１ｍの全体を右上切欠部７ｆ〜１０ｆに差し込むことができる。
【００４６】
図６（Ｂ）の状態となった後に、図６（Ｃ）のように第２仕切板１１を左第３折曲線部１１ｉで折り曲げる。このとき、左第３折曲線部１１ｉは２本の左切込線１１ｉａ，１１ｉｂによって途切れ、左外垂直面１１ｐから突出した左外凸部１１ｐａが設けられ、左捨て穴１１ｉｃが形成されている。そのため、左外凸部１１ｐａは、折れ曲がることなく、左外垂直面１１ｐから突出した状態となる。
【００４７】
この状態で、図６（Ｃ）に示すように、第２仕切板１１の左第２折曲線部１１ｇを折り曲げて、第２仕切板１１の左上面１１ｎを第１仕切板７〜１０の左垂直面７ｈ〜１０ｈに被せていく。すると、図６（Ｄ）のように、第２仕切板１１の左上面長穴１１ｎｂ〜１１ｎｅには、左第２折曲線部１１ｇに近い右側から先に第１仕切板７〜１０の左凸部７ｎ〜１０ｎが挿入される。ここで、左上面長穴１１ｎｂ〜１１ｎｅでは右側の幅が広くなっているため、左上面長穴１１ｎｂ〜１１ｎｅへの左凸部７ｎ〜１０ｎの挿入は容易であり、スムーズに左上面１１ｎを左垂直面７ｈ〜１０ｈに被せることができる。
【００４８】
図６（Ｄ）に示される仕切構造物６の左側は、第２仕切板１１の左上面１１ｎを第１仕切板７〜１０の左垂直面７ｈ〜１０ｈに完全に被せた状態を示している。この状態では、左上面長穴１１ｎｂ〜１１ｎｅの左側の幅は第１仕切板７〜１０の板厚と同等であり、そのため、左上面長穴１１ｎｂ〜１１ｎｅに左凸部７ｎ〜１０ｎを隙間なく嵌合させることができる。これにより、左上面１１ｎの左上面長穴１１ｎｂ〜１１ｎｅから左凸部７ｎ〜１０ｎが上方向へ突出し、且つ、左外凸部１１ｐａは同様に上方向へ突出した状態となる。このとき、左凸部７ｎ〜１０ｎと左外凸部１１ｐａの突出先端は、略同一高さに揃うように設定されている。
【００４９】
また、こうして左上面１１ｎを左垂直面７ｈ〜１０ｈに被せると、左外垂直面１１ｐに形成された左外切欠部１１ｐｂ〜１１ｐｅも、第１仕切板７〜１０の左角切欠部７ｒ〜１０ｒへ同時に進入され、第１仕切板７〜１０の左辺７ｃ〜１０ｃを挟み込む。このとき、左外切欠部１１ｐｂ〜１１ｐｅの各入口には斜面１１ｒがあるため、左外切欠部１１ｐｂ〜１１ｐｅをスムーズに左角切欠部７ｒ〜１０ｒに進入させて、左辺７ｃ〜１０ｃを挟み込むことができる。
【００５０】
なお、第１仕切板７〜１０と第２仕切板１１はそれぞれ左右対称形状であるため、第２仕切板１１の右側についても、前述した第２仕切板１１の左側の組立手順と同様の手順に従って、図６（Ｂ）の状態から図６（Ｄ）の状態へと組み立てることができる。そのため、第２仕切板１１の右側について、図６（Ｂ）の状態から図６（Ｄ）の状態へと組み立てる手順の詳細については、ここでの説明を省略する。
【００５１】
図６（Ｄ）の状態となった後に、図７（Ａ）に示すように、上折曲線部１４ｅと下折曲線部１４ｆで折り曲げた状態とされた第４仕切板１４を、第４仕切板１４の長穴１４ｊに第１仕切板７の中垂直面７ｇが差し込まれるようにして組み込む。一方、上折曲線部１５ｅと下折曲線部１５ｆで折り曲げた状態とされた第４仕切板１５を、第４仕切板１４とは左右と前後とを逆にして、第４仕切板１５の長穴１５ｊに第１仕切板１０の中垂直面１０ｇが差し込まれるようにして組み込む。長穴１４ｊ，１５ｊの寸法Ｌ４１は中垂直面７ｇ，１０ｇの寸法Ｌ１３より所定量長く設定されているため、長穴１４ｊ，１５ｊに中垂直面７ｇ，１０ｇをスムーズに差し込むことができる。さらに、寸法Ｌ４２は第１仕切板７，１０の中垂直面７ｇ，１０ｇより所定量広いので、第４仕切板１４，１５を下折曲線部１４ｆ，１５ｆで折り曲げた状態でも長穴１４ｊ，１５ｊの前後方向幅を充分確保でき、中垂直面７ｇ，１０ｇをよりスムーズに差し込むことができる。
【００５２】
こうして、第４仕切板１４，１５の下面１４ｉ，１５ｉは共に、第２仕切板１１の下面１１ｋに当接し、第４仕切板１４の垂直面１４ｈは中垂直面７ｇに当接し、第４仕切板１５の垂直面１５ｈは中垂直面１０ｇに当接する。こうして、図７（Ｂ），（Ｃ）に示される仕切構造物６が完成する。
【００５３】
このとき、ペーパーセット収納部Ｐ１〜Ｐ３の底は、第２仕切板１１の下面１１ｋで形成され、第１仕切板７〜１０の下辺７ｂ〜１０ｂよりも上側にあるため、その分だけ、ペーパーセット収納部Ｐ１〜Ｐ３の下側に緩衝空間が形成される。また、仕切構造物６の左側では、第３仕切板１２が第１仕切板７〜１０の左辺７ｃ〜１０ｃより右側にあるため、その分だけ、インクカセット収納部Ｃ１〜Ｃ３の左側にも緩衝空間が形成される。更に、仕切構造物６の前側では、第１仕切板７が第２仕切板１１の前辺１１ａよりも後側にあるため、その分だけ、インクカセット収納部Ｃ１，Ｃ４及びペーパーセット収納部Ｐ１の前側に緩衝空間が形成される。なお、仕切構造物６は前後方向と左右方向とで対称な構造となっているため、仕切構造物６の右側及び後側にも、左側及び前側と同様の緩衝空間が形成される。
【００５４】
以上の説明の通り、仕切構造物６は、周囲に多くの緩衝空間を備えており、耐衝撃性により優れた構造となっている。なお、図７（Ｃ）に示すように、仕切構造物６では、インクカセット収納部Ｃ１〜Ｃ６においては、底が抜けた状態となっている。
【００５５】
［カートン箱４の構造と組立手順］
図７（Ｂ）の状態に組み上げられた仕切構造物６をカートン箱４の内部に配置して、収納箱１を組み立てる。図８は、カートン箱４の組立手順を示す図である。図８（Ａ）に示す状態にあるカートン箱４の下フラップ４ａ，４ｂが同一面を形成するように、内側に折り曲げて、図８（Ｂ）の状態とする。続いて、図８（Ｃ）に示すように、下フラップ４ｃ，４ｄを折り曲げて先端同士を接触させた状態とし、更に、図８（Ｄ）に示すように、封緘テープ５で下フラップ４ｃ，４ｄを、所謂、Ｉ貼り状態とする。なお、図８（Ｅ）に示すように、封緘テープ５を用いて、所謂、Ｈ貼り状態とすることで、より強固に封緘することができる。
【００５６】
図８（Ｅ）の状態では、カートン箱４の内側の下面は、下フラップ４ａ，４ｂの先端同士が離れた状態で対向しているため、その間はカートン箱４を形成している段ボール材の厚さＬ１分だけ、下面が低く、段差が生じた状態となっている。この段差は、カートン箱４の内側の下面において、前後方向の全域にわたって形成されている。
【００５７】
［カートン箱４への仕切構造物６の収納］
図８（Ｅ）の通りに組み立てられたカートン箱４に図７（Ｂ）の通りに組み立てられた仕切構造物６を収納して、収納箱１を組み立てる。図９は、カートン箱４への仕切構造物６の配置手順と、組み立てられた収納箱の内部構造を示す図である。
【００５８】
図９（Ａ），（Ｃ）に示すように、カートン箱４の上部開口から仕切構造物６を挿入する。すると、図９（Ｂ），（Ｄ）に示すように、カートン箱４の下フラップ４ａ，４ｂがインクカセット収納部Ｃ１〜Ｃ６の底を形成する。また、第１仕切板７〜１０の下辺７ｂ〜１０ｂと、第３仕切板１２，１３の下辺１２ｂ．１３ｂが下フラップ４ａ，４ｂに当接する。一方、下フラップ４ａ，４ｂと下フラップ４ｃ，４ｄとの段差部では、下辺７ｂ〜１０ｂは下フラップ４ａ，４ｂに当接せず、よって、図７（Ｂ）のようにカートン箱４の厚さＬ１に相当する隙間が生じる。この隙間は、カートン箱４の内側下面の前後方向全域にわたって生じることになる。
【００５９】
また、図９（Ｂ）に示すように、第１仕切板７〜１０には左切欠部７ｊ〜１０ｊより左側に左斜辺７ｗ〜１０ｗが形成されているため、カートン箱４の内側の左下隅部分に空間が形成される。同様に、右切欠部７ｋ〜１０ｋより右側も右斜辺７ｍ〜１０ｍが形成されているため、カートン箱４の内側の右下隅部分にも空間が形成される。更に、第１仕切板７〜１０の左辺７ｃ〜１０ｃはカートン箱４の左側面に当接するが、第３仕切板１２はカートン箱４の左側面に当接せず、第３仕切板１２とカートン箱４の左側面との間にも空間が形成されている。同様に、第１仕切板７〜１０の右辺７ｄ〜１０ｄもカートン箱４の右側面に当接するが、第３仕切板１３はカートン箱４の右側面に当接せず、第３仕切板１３とカートン箱４の右側面との間にも空間が形成されている。
【００６０】
また、図９（Ｄ）に示すように、第４仕切板１４の垂直面１４ｈが第１仕切板７の中垂直面７ｇに当接し、第４仕切板１４の上辺１４ａと下辺１４ｂがカートン箱４の前側面に当接することで、中垂直面７ｇが前方向へ倒れない構造となっている。同様に、第４仕切板１５の垂直面１５ｈが第１仕切板１０の中垂直面１０ｇに当接し、第４仕切板１５の上辺１５ａと下辺１５ｂがカートン箱４の後側面に当接することで、中垂直面１０ｇが後方向へ倒れない構造となっている。
【００６１】
［収納箱１へのペーパーセット２とインクカセット３の収納］
図１０（Ａ）は、収納箱１にペーパーセット２とインクカセット３を収納する手順を示す斜視図であり、図１０（Ｂ），（Ｃ）は、収納箱１にペーパーセット２とインクカセット３が収納された状態を示す断面図である。
【００６２】
｛収納箱１へのペーパーセット２の収納｝
図１０（Ａ）に示すように、ペーパーセット収納部Ｐ１〜Ｐ３にはペーパーセット２を２０個ずつ並べて収納する。並べられた２０個のペーパーセット２は、図１０（Ｂ）に示すように、下側、左側、右側をそれぞれ、第２仕切板１１の下面１１ｋ、左側垂直面１１ｗ、右側垂直面１１ｍによって囲まれた状態になる。このとき、下面１１ｋは第１仕切板７〜１０の左繋ぎ部７ｐ〜１０ｐと右繋ぎ部７ｑ〜１０ｑの各上辺に当接し、第１仕切板７〜１０の下辺７ｂ〜１０ｂはカートン箱４の下フラップ４ａ，４ｂに当接している。そのため、多量のペーパーセット２を収納しても、下面１１ｋが沈み込むことはない。また、第２仕切板１１の左第１折曲線部１１ｅから右第１折曲線部１１ｆまでの寸法Ｌ２２は、ペーパーセット２の長さ寸法（ｘ１）に余裕量を加えた寸法に設定されている。そのため、ペーパーセット２をその長さ方向で、左側垂直面１１ｗと右側垂直面１１ｍとの間に適度の余裕量をもって収納することができる。
【００６３】
一方、収納箱１の前後方向では、図１０（Ｃ）に示すように、合計６０個のペーパーセット２は、前側では中垂直面７ｇに対向し、２０個毎に中垂直面８ｇ，９ｇで仕切られ、後側では中垂直面１０ｇに対向する。第２仕切板１１の下面長穴１１ｋａ〜１１ｋｄは、ペーパーセット２を２０個並べた厚さに余裕量を加えた寸法Ｌ２６の間隔で設けてあるため、中垂直面７ｇ〜１０ｇも寸法Ｌ２６の間隔で立設されている。したがって、ペーパーセット２を、２０個ずつ、適度な余裕量を持ってペーパーセット収納部Ｐ１〜Ｐ３に収納することができる。また、中垂直面７ｇが前方向へ倒れないように第４仕切板１４が中垂直面７ｇを覆い、中垂直面７ｇが後方向へ倒れないように第４仕切板１５が中垂直面７ｇを覆っている。よって、多量のペーパーセット２を前後方向で収納しても、ペーパーセット２が倒れることなく、整った姿勢に保持することができる。
【００６４】
｛収納箱１へのインクカセット３の収納｝
収納箱１にインクカセット３を収納するために、先ず、図１０（Ａ）のように第２仕切板１１の左上面１１ｎを起こす。このとき、左上面１１ｎには左指掛け穴１１ｎａが設けられているため、左指掛け穴１１ｎａに指を通して上方に引き上げることで、左上面１１ｎを容易に起こすことができ、これにより、インクカセット収納部Ｃ１〜Ｃ３が現れる。
【００６５】
次に、図１０（Ａ）に示すように、インクカセット収納部Ｃ１へ５個のインクカセット３を並べて収納する。これらのインクカセット３は、カートン箱４の下フラップ４ａに載せられ、第１仕切板７の左垂直面７ｈと第１仕切板８の左垂直面８ｈとで前後を挟まれ、第２仕切板１１の左側垂直面１１ｗと第３仕切板１２とで左右を挟まれた状態になる。
【００６６】
このとき、第２仕切板１１の下面長穴１１ｋａ，１１ｋｂの間隔と第３仕切板１２の上切欠部１２ｅ，１２ｆの間隔はそれぞれ、インクカセット３の幅寸法（ｙ２）に余裕量を加えた寸法Ｌ２６及び寸法Ｌ３１であり、先述の通り、寸法Ｌ２６と寸法Ｌ３１とは等しい。よって、左垂直面７ｈ，８ｈも寸法Ｌ２６（寸法Ｌ３１）の間隔で並んでいる。また、第１仕切板７の左上切欠部７ｅと左切欠部７ｊの間隔と、第１仕切板８の左上切欠部８ｅと左切欠部８ｊの間隔は、共に、５個のインクカセット３を並べた厚さ（＝ｚ２×５）に余裕量を加えた寸法Ｌ１４である。したがって、第２仕切板１１の左側垂直面１１ｗと第３仕切板１２とは寸法Ｌ１４の間隔で並んでおり、これにより、５個のインクカセット３を適度な余裕量を持ってインクカセット収納部Ｃ１に収納することができる。
【００６７】
なお、他のインクカセット収納部Ｃ２〜Ｃ６も同様の構造に設定されていることは、上記説明から明らかであり、よって、インクカセット収納部Ｃ２〜Ｃ６にも、インクカセット３を５個ずつ、適度な余裕量を持って収納することができる。
【００６８】
以上の作業により、６０個のペーパーセット２と３０個のインクカセット３が収納箱１に収納された状態となる。このとき、インクカセット３はカートン箱４の下フラップ４ａ又は下フラップ４ｂに載り、ペーパーセット２は下フラップ４ａ又は下フラップ４ｂよりも上げ底に形成された下面１１ｋに載っているため、互いに寸法が異なっても上部がほぼ同一面に揃うことになる。したがって、ペーパーセット２とインクカセット３の収納箱１への収納作業（梱包作業）が容易で、しかも、収納箱１からのペーパーセット２とインクカセット３の取出作業（開梱作業）も容易である。また、インクカセット３は長さ寸法（ｘ２）を上下方向にして、ペーパーセット２は幅寸法（ｙ１）を上下方向にして梱包することが好ましいので、これらの物品をより損傷し難い状態に保持することができる。
【００６９】
３０個のインクカセット３が収納箱１に収納された後、第２仕切板１１の左上面１１ｎを倒してインクカセット収納部Ｃ１〜Ｃ３の上に被せる。このとき、第２仕切板１１の左外垂直面１１ｐに形成された左外切欠部１１ｐｂ〜１１ｐｅが、図６（Ｃ），（Ｄ）で示したように、第１仕切板７〜１０の左角切欠部７ｒ〜１０ｒに進入して、第１仕切板７〜１０の左辺７ｃ〜１０ｃを挟む。このとき、左外切欠部１１ｐｂ〜１１ｐｅの各入口には斜面１１ｒが形成されているため、スムーズに作業を行うことができる。なお、これと同様にして、第２仕切板１１の右上面１１ｏを倒してインクカセット収納部Ｃ４〜Ｃ６の上に被せればよい。
【００７０】
［収納箱１の封緘］
図１１（Ａ）は、収納箱１の上面を封緘する手順を示す斜視図である。カートン箱４の上フラップ４ｅ，４ｆを折り曲げて先端同士が離れた状態で対向させた後、上フラップ４ｇ，４ｈを折り曲げて先端同士が接した状態で対向させる。そして、上フラップ４ｇ，４ｈを封緘テープ５で、図１１（Ａ）に示す通りに、所謂、Ｉ貼り状態にする。なお、より強固に封緘したい場合、下面側と同様に（図８（Ｅ）参照）、所謂、Ｈ貼り状態としてもよい。
【００７１】
図１１（Ｂ）〜（Ｄ）は、封緘された収納箱１の内部構造を示す断面図である。図１１（Ｂ）に示すように、第１仕切板７〜１０の左凸部７ｎ〜１０ｎと右凸部７ｏ〜１０ｏが上側に向けて突出すると共に、第２仕切板１１の左外凸部１１ｐａと右外凸部１１ｑａが上側に突出している。これらの凸部は、先述の通り、突出先端が略同一高さに揃うように設定されているため、カートン箱４の上フラップ４ｅ，４ｆに当接している。また、カートン箱４の底部と同様に、上面の内側も、上フラップ４ｅ，４ｆの先端同士が離れた状態で対向し、その間にはカートン箱４の厚さＬ１だけ上面が高い段差が形成された状態となっている。一方、第４仕切板１４には切欠部１４ｋ，１４ｗが形成され、第４仕切板１５には切欠部１５ｋ，１５ｗが形成されているため、上面１４ｇ，１５ｇは、上フラップ４ｇ，４ｈに当接する。
【００７２】
［収納箱１の耐衝撃性］
収納箱１を実際に物流過程に載せた場合における不用意な落下等を想定した収納箱１の耐衝撃性について，図１１（Ｂ）〜（Ｄ）、図１２及び図１３を参照して説明する。図１２は、収納箱１の落下方向を規定した図である。また、図１３は、収納箱１の耐衝撃性を説明するために、第１仕切板７と第２仕切板１１とを並べて示す斜視図である。
【００７３】
｛Ｄ１方向、Ｄ２方向の場合｝
図１２に示すＤ１方向に収納箱１が落下した場合、カートン箱４の左方向に荷重が掛かり、ペーパーセット２の荷重は第２仕切板１１の左側垂直面１１ｗに掛かって、それを第１仕切板７〜１０の左垂直面７ｈ〜１０ｈで支えることになる（適宜図１１（Ｄ）参照）。このとき、図１３に示すように、第１仕切板７に左上切欠部７ｅを設け、第１仕切板７の左繋ぎ部７ｐに第２仕切板１１の下面１１ｋを当接するまで差し込んでいる。そのため、第２仕切板１１の左側垂直面１１ｗは切欠部を必要とせず、よって、左側垂直面１１ｗが破れ難い。
【００７４】
また、第２仕切板１１の下面１１ｋには、左第１折曲線部１１ｅから寸法Ｌ２４だけ離して下面長穴１１ｋａ〜１１ｋｄを設けている。そのため、左側垂直面１１ｗから左第１折曲線部１１ｅで直角に折れて下面長穴１１ｋａ〜１１ｋｄに達するＬ字型断面を、前辺１１ａから後辺１１ｂまで切れ目なく形成することができ、これにより、強固な構造を実現することができる。更に、左上面１１ｎの左上面長穴１１ｎｂ〜１１ｎｅも、左第２折曲線部１１ｇから寸法Ｌ２７だけ離れて設けられている。そのため、左側垂直面１１ｗから左第２折曲線部１１ｇで直角に折れて左上面長穴１１ｎｂ〜１１ｎｅに達するＬ字型断面を、前辺１１ａから後辺１１ｂまで切れ目なく形成することができ、これにより、強固な構造を実現することができる。
【００７５】
加えて、第２仕切板１１には、段ボール材のフルート目Ｍ２が図３に示したように設定されているため、左側垂直面１１ｗからの荷重が左第２折曲線部１１ｇを介して左上面１１ｎに掛かっても、左上面１１ｎは圧縮や座屈に強い。つまり、左上面１１ｎは、Ｄ１方向での圧縮や座屈に強く、左側垂直面１１ｗからの荷重に対して高い耐久性を有する。そして、第１仕切板７〜１０も、段ボール材のフルート目Ｍ１が図２に示したように設定されているため、Ｄ１方向での圧縮や座屈に強く、左垂直面７ｈ〜１０ｈを支えても、その荷重に対して高い耐久性を有する。
【００７６】
図１１（Ｂ）に示すように、インクカセット収納部Ｃ１〜Ｃ３に収納されたインクカセット３の左側には第３仕切板１２が配置されており、第３仕切板１２とカートン箱４の左側面との間に緩衝空間が形成されている。そのため、インクカセット３がカートン箱４の左側面に直接当たることがなく、これにより、インクカセット３を確実に保護することができる。
【００７７】
なお、図１２に示すＤ２方向に収納箱１が落下した場合、カートン箱４には右方向に荷重が掛かることになる。この場合でも、上記説明の通り、収納箱１は左右対称構造となっているため、収納箱１がＤ１方向に落下した場合と同じ理由により、ペーパーセット２及びインクカセット３を保護することができる。
【００７８】
｛Ｄ３方向、Ｄ４方向の場合｝
図１２に示すＤ３方向に収納箱１が落下した場合、カートン箱４の前方向に荷重が掛かる。このとき、図１１（Ｃ）に示すように、合計６０個のペーパーセット２は、前側では第１仕切板７の中垂直面７ｇと対向し、２０個毎に第１仕切板８，９の中垂直面８ｇ，９ｇで仕切られ、後側では第１仕切板１０の中垂直面１０ｇと対向している。そのため、６０個分の荷重がまとめて、中垂直面７ｇに掛かろうとする。
【００７９】
しかし、第４仕切板１４が中垂直面７ｇを覆っており、中垂直面７ｇの前方向へ倒れるのを防止しているため、中垂直面７ｇは倒れることなく、ペーパーセット２を整った姿勢で保持することができる。また、第４仕切板１４は、段ボール材のフルート目Ｍ４が図５に示したように設定されているため、前後方向での圧縮や座屈に強く、ペーパーセット２の荷重に対して高い耐久性を有する。
【００８０】
なお、図１２に示すＤ４方向に収納箱１が落下した場合、カートン箱４には後方向に荷重が掛かる。この場合でも、上記説明の通り、収納箱１は前後対称構造となっているため、収納箱１がＤ３方向に落下した場合と同じ理由により、ペーパーセット２及びインクカセット３を保護することができる。
【００８１】
｛Ｄ５方向、Ｄ６方向の場合｝
図１２に示すＤ５方向に収納箱１が落下した場合とは、収納箱１がひっくり返って落下した場合であるため、発生頻度は極めて低いと考えられる。この場合でも、図１１（Ｂ）に示されるように、第１仕切板７〜１０に設けられた左凸部７ｎ〜１０ｎ及び右凸部７ｏ〜１０ｏによって、第２仕切板１１の左上面１１ｎ及び右上面１１ｏと上フラップ４ｇ〜４ｈとの間に緩衝空間が形成されているため、インクカセット３を確実に保護することができる。
【００８２】
一方、ペーパーセット２は、上フラップ４ｇ，４ｈ側にずれ落ちて、上フラップ４ｇ，４ｈに当接する可能性がある。しかし、ペーパーセット２は、前述の通り、印刷用紙をポリ袋に入れて封緘したものであるため、その周囲にはポリ袋により縁（へり）が形成されているため、この縁の部分がクッション材としての機能を発揮する。また、ペーパーセット２は、その特性上、印刷用紙が積み重なっている方向と直交する方向に対する耐衝撃性は高い。よって、ペーパーセット２の短辺方向（ペーパーの幅方向）を上下方向にして収納していることが、ペーパーセット２を損傷させる可能性を極めて低く抑えている。なお、ペーパーセット２と上フラップ４ｇ，４ｈとの間の空間に、緩衝材（スポンジ等）を詰め込むことで、耐衝撃性を高めることもできる。
【００８３】
図１２に示すＤ６方向に収納箱１が落下した場合、カートン箱４には下方向に荷重が掛かる。このとき、ペーパーセット２を保持する第２仕切板１１の下面１１ｋが上げ底になっており、下面１１ｋが第１仕切板７〜１０の左繋ぎ部７ｐ〜１０ｐ及び右繋ぎ部７ｑ〜１０ｑに当接している。そのため、下面１１ｋは陥没することなく、ペーパーセット２を保持することができる。なお、インクカセット３は、下フラップ４ａ，４ｂと下フラップ４ｃ，４ｄとが二重になっている部分に収納されているため、これら下フラップ４ａ〜４ｄにより保護される。
【００８４】
｛Ｄ７方向、Ｄ８方向の場合｝
図１２に示すＤ７方向に収納箱１が落下した場合、カートン箱４には左下方向に荷重が掛かる。このとき、カートン箱４には、図１１（Ｂ）に示す矢印Ｆ方向からの打撃を受けることにより、変形や潰れが生じるおそれがある。しかし、第１仕切板７〜１０は、左切欠部７ｊ〜１０ｊの左側の部分に左斜辺７ｗ〜１０ｗが形成されるように切除されているため、カートン箱４の内側の左下隅部には第１仕切板７〜１０が当接しておらず、相当量の空間が形成されている。そのため、カートン箱４の左下隅部が潰れても、内部に影響が及び難く、インクカセット３を保護することができ、ひいてはペーパーセット２を保護することができる。
【００８５】
なお、図１２に示すＤ８方向に収納箱１が落下した場合、カートン箱４には右下方向に荷重が掛かる。この場合でも、上記説明の通り、収納箱１は左右対称構造となっているため、収納箱１がＤ７方向に落下した場合と同様に、ペーパーセット２及びインクカセット３を保護することができる。
【００８６】
｛Ｄ９〜Ｄ１２方向の場合｝
図１２に示すＤ８方向に収納箱１が落下した場合、カートン箱４は左前方向に荷重が掛かる。このとき、カートン箱４は図１１（Ｄ）の矢印Ｆ方向からの打撃を受けることにより、上側から見たときに、収納箱１には、カートン箱４の形状が長方形から平行四辺形に歪むような力が作用する。しかし、第２仕切板１１の左上面１１ｎが長方形の形状でカートン箱４の内面に接しているため、平行四辺形に変形する力に抵抗して、正しい形状を維持することができる。これにより、ペーパーセット２及びインクカセット３を保護することができる。
【００８７】
また、左上面１１ｎには左上面長穴１１ｎｂ〜１１ｎｅが設けられており、これらに第１仕切板７〜１０の左凸部７ｎ〜１０ｎが嵌合しているため、左上面１１ｎは第１仕切板７〜１０と一体となって、変形する力に対して、より強く抵抗する。さらに、左上面１１ｎと接続されている左外垂直面１１ｐは、図８（Ｃ）に示したように、第１仕切板７〜１０の左角切欠部７ｒ〜１０ｒに進入するため、第１仕切板７〜１０と一体となって、より強く変形する力に抵抗する。これらによっても、カートン箱４は正しい形状を維持することができる。
【００８８】
加えて、第２仕切板１１の左外垂直面１１ｐには左外切欠部１１ｐｂ〜１１ｐｅが設けられており、これらが第１仕切板７〜１０の左辺７ｃ〜１０ｃを挟み込んでいるため、左外垂直面１１ｐが第１仕切板７〜１０と一体となって、より強く変形する力に抵抗する。また、左外垂直面１１ｐから左外凸部１１ｐａが突出し、図１２（Ｂ）に示したように、カートン箱４の上フラップ４ｅに当接しているため、左外垂直面１１ｐは上フラップ４ｅに押されて浮き上がらない。よって、落下の衝撃を受けても、左上面長穴１１ｎｂ〜１１ｎｅと左凸部７ｎ〜１０ｎの嵌合を維持することができ、左外切欠部１１ｐｂ〜１１ｐｅが左辺７ｃ〜１０ｃを挟んだ状態も維持することができる。これらによっても、カートン箱４は正しい形状を維持することができる。
【００８９】
なお、収納箱１は左右及び前後に対称な構造となっている。そのため、Ｄ１０方向、Ｄ１１方向或いはＤ１２方向に収納箱１が落下した場合も、Ｄ９方向に収納箱１が落下した場合と同様に、カートン箱４の変形が防止され、ペーパーセット２及びインクカセット３を保護することができる。
【００９０】
＜第２実施形態＞
第２実施形態に係る収納箱が、第１実施形態に係る収納箱と異なる点は、第２仕切板１１の下面を下側から支える支持板を追加した点である。これにより、図１２に示したＤ６方向の落下に対する耐衝撃性を高める効果が得られる。
【００９１】
図１４は、本発明の第２実施形態に係る収納箱２１の構造を示す分解斜視図である。収納箱２１は、カートン箱４と、カートン箱４に収納される仕切構造物２２とを有する。図１４に示すペーパーセット２、インクカセット３、カートン箱４、仕切構造物２２を構成する第２仕切板１１、第３仕切板１２，１３及び第４仕切板１４，１５は、第１実施形態で用いたものと同じであるので、これらについての説明は省略する。収納箱２１は、これらに加えて、第１仕切板２３〜２６と、支持板２７〜３０とにより構成される。
【００９２】
［第１仕切板２３〜２６の構造］
図１５は、仕切構造物２２を構成する第１仕切板２３の構造を示す平面図である。なお、第１仕切板２４〜２６は第１仕切板２３と同じ構造を有し、同じ材料からなる。
【００９３】
第１仕切板２３は、段ボール材からなり、一対の上辺２３ａ及び下辺２３ｂと、これらに直角な一対の左辺２３ｃ及び右辺２３ｄとを有する、略長方形の平板状部材である。第１仕切板２３を構成する段ボール材のフルート目Ｍ５は、左右方向（上辺２３ａ及び下辺２３ｂに平行な方向）となっている。第１仕切板２３に形成されている中下切欠部２３ｔ以外の構成要素は、第１実施形態で説明した第１仕切板７の構成要素と同じであり、よって、第１実施形態と共通する部位等に対して、下位桁が共通な符号を付して説明することとし、ここでの説明を省略する。
【００９４】
第１仕切板２３には、下辺２３ｂへ向けて、幅寸法Ｌ１６、長さ寸法Ｌ１７で開口する中下切欠部２３ｔが中垂直面２３ｇに形成されており、その入口には斜面２３ｕが設けられている。
【００９５】
［支持板２７〜３０の構造］
図１６は、支持板２７の構造を示す平面図である。なお、支持板２８〜３０はそれぞれ、支持板２７と同じ構造を有し、同じ材料からなる。
【００９６】
支持板２７は、段ボール材からなり、一対の上辺２７ａ及び下辺２７ｂと、これらに直角な一対の前辺２７ｃ及び後辺２７ｄを有する略長方形の平板状部材であり、段ボール材のフルート目Ｍ６は、上下方向（前辺２７ｃ及び後辺２７ｄに平行な方向）である。支持板２７の上下方向の幅寸法Ｌ５１は、第１仕切板２３の中下切欠部２３ｔの長さ寸法Ｌ１７にカートン箱４の厚さＬ１を加えた寸法と同等に設定されている。なお、中下切欠部２３ｔの幅寸法Ｌ１６は、支持板２７の厚さ２枚分から所定量を引いた寸法である。また、支持板２７には、前辺２７ｃから寸法Ｌ５２の後辺２７ｄ寄りの位置において、下辺２７ｂで開口する切欠部２７ｅが上下方向に形成されている。切欠部２７ｅの寸法Ｌ５４は幅寸法Ｌ５１の半分であり、寸法Ｌ５２は第２仕切板１１の寸法Ｌ２１の半分に設定されている。
【００９７】
［仕切構造物２２の組立手順］
仕切構造物２２の組立手順について、図１７を参照して説明する。なお、前述の通り、第１仕切板２４〜２６はそれぞれ、同じ、第１仕切板２３と同じ構造を有するため、以下の説明では、第１実施形態についての説明と同様に、同じ構造の部材の同じ部位に対しては最下位桁に共通の符号を付するものとする。
【００９８】
図１７は、仕切構造物２６の組立手順を示す図である。第１仕切板２３〜２６、第２仕切板１１、第３仕切板１２，１３及び第４仕切板１４，１５の組立手順は、第１実施形態で説明した仕切構造物６の組立手順と同じであるため、ここでの説明を省略する。
【００９９】
その後、図１７に示すように、支持板２７を切欠部２７ｅで鈍角に折り曲げ、支持板２８については、支持板２７とは上下と前後を逆にして、切欠部２８ｅで鈍角に折り曲げ、互いの切欠部２７ｅ，２８ｅを噛み合わせる。このとき、支持板２７の前辺２７ｃから切欠部２７ｅまでの部分と支持板２８の前辺２８ｃから切欠部２８ｅまでの部分とが同一平面を形成するようにする。
【０１００】
切欠部２７ｅ，２８ｅの寸法Ｌ５４は支持板２７，２８の幅寸法Ｌ５１の半分であるから、これにより、支持板２７，２８は、上辺２７ａと下辺２８ｂとが一致すると同時に、下辺２７ｂと上辺２８ａとが一致した状態で噛み合わされる。また、支持板２７の前辺２７ｃから切欠部２７ｅまでと支持板２８の切欠部２８ｅから前辺２８ｃまでのそれぞれの寸法Ｌ５２は、第２仕切板１１の寸法Ｌ２１の半分であるため、噛み合わされた支持板２７，２８の長さは、第２仕切板１１の前後方向の長さと同等になる。支持板２７，２８と同様に、支持板２９，３０を噛み合わせる。
【０１０１】
次に、噛み合わされた２組の支持板２７，２８及び支持板２９，３０を、図１７に示すように密着対向させた状態で、第１仕切板２３〜２６の中下切欠部２３ｔ〜２６ｔに差し込むことにより、仕切構造物２２が完成する。このとき、中下切欠部２３ｔ〜２６ｔの入口には斜面２３ｕ〜２６ｕが設けられているため、スムーズに差し込むことができる。また、中下切欠部２３ｔ〜２６ｔの幅寸法Ｌ１６は支持板２７の２枚分の厚さから所定量を引いた寸法に設定されているため、密着対向した支持板同士に圧縮応力が掛かることによって強固に固定することができる。更に、密着対向した支持板全体の長さは寸法Ｌ５２の２倍、つまり寸法Ｌ２１と同じであるため、第２仕切板１１の下面１１ｋの下に支持板２７〜３０がはみ出すことなく、支持板２７〜３０が下面１１ｋを支えた状態になる。即ち、仕切構造物２２は、第２仕切板１１の前辺１１ａから下面長穴１１ｋｂまでの間を支持板２７，２９が、後辺１１ｂから下面長穴１１ｋｃまでの間を支持板２８，３０が、下面長穴１１ｋｂから下面長穴１１ｋｃまでの間を支持板２７〜３０が支える構造となっている。
【０１０２】
なお、先述の通り、支持板２７〜３０の上下方向の幅寸法Ｌ５１は、中下切欠部２３ｔの長さ寸法Ｌ１７とカートン箱４の厚さＬ１とを加えた寸法と同等に設定されている。そのため、支持板２７〜３０は、第１仕切板２３〜２６の下辺２３ｂ〜２６ｂからカートン箱４の厚さＬ１だけ突出した状態となり、この突出は、第２仕切板１１の前後方向全域にわたって存在している。
【０１０３】
［カートン箱４への仕切構造物２２、ペーパーセット２、インクカセット３の収納］
カートン箱４の内部に仕切構造物２２を配置して、収納箱２１を組み立てる。図１８（Ａ）は、カートン箱４への仕切構造物２２の配置手順を示す図である。図１８（Ｂ）は、カートン箱４に仕切構造物２２が配置された状態を示す断面図である。図１８（Ｃ）は、物品としてペーパーセット２とインクカセット３が収納箱２２に収納された状態を示す断面図である。
【０１０４】
第１実施形態と同様に、図１８（Ａ）に示すように、カートン箱４の上部開口から仕切構造物２２を挿入する。すると、図１８（Ｂ）に示すように、第１仕切板２３〜２６の下辺２３ｂ〜２６ｂと第３仕切板１２，１３の下辺１２ｂ，１３ｂが、カートン箱４の下フラップ４ａ，４ｂに当接する。一方、カートン箱４の下フラップ４ａ，４ｂと下フラップ４ｃ，４ｄとの段差部では、下辺２３ｂ〜２６ｂは下フラップ４ｃ，４ｄに当接せず、カートン箱４の厚さＬ１に相当する隙間が生じる。また、先述の通り、支持板２７〜３０が下辺２３ｂ〜２６ｂからカートン箱４の厚さＬ１だけ突出しているため、下フラップ４ａ，４ｂと下フラップ４ｃ，４ｄとの段差部では、支持板２７〜３０が下フラップ４ｃ，４ｄに当接した状態となる。この状態は、カートン箱４の内側の下面の前後方向全域にわたって生じている。
【０１０５】
カートン箱４に仕切構造物２２が収納された後、図１８（Ｃ）に示すように、ペーパーセット収納部Ｐ１〜Ｐ３に、６０個のペーパーセット２を２０個ずつ並べて収納する。このとき、第１実施形態と同様に、第２仕切板１１の下面１１ｋは、第１仕切板２３〜２６の左繋ぎ部２３ｐ〜２６ｐと右繋ぎ部２３ｑ〜２６ｑに当接し、第１仕切板２３〜２６の下辺２３ｂ〜２６ｂがカートン箱４の下フラップ４ａ，４ｂに当接する。そのため、多量のペーパーセット２を載せても、下面１１ｋが沈み込まない。また、先述の通り、支持板２７〜３０が下フラップ４ｃ，４ｄに当接しているため、より確実に下面１１ｋの沈み込みを防止することができる。次に、第１実施形態と同様に、３０個のインクカセット３を５個ずつインクカセット収納部Ｃ１〜Ｃ６に収納し、その後、カートン箱４を封緘する。
【０１０６】
［収納箱２１の耐衝撃性］
収納箱２１が、第１実施形態において参照した図１２に示されるＤ６方向に落下した場合、カートン箱４には下方向に荷重が掛かる。このとき、ペーパーセット２を保持する第２仕切板１１の下面１１ｋは上げ底になっているが、下面１１ｋは左繋ぎ部２３ｐ〜２６ｐ及び右繋ぎ部２３ｑ〜２６ｑに当接しているため、下面１１ｋの陥没は防止される。よって、下面１１ｋが陥没してペーパーセット２の印刷用紙に折れや皺が生じることを防止することができる。
【０１０７】
また、収納箱２１では、下面１１ｋを支持する支持板２７〜３０が下フラップ４ｃ，４ｄに当接しているため、より確実に、下面１１ｋの沈み込みを防止することができる。更に、特に、下面１１ｋにおいて加重が最も集まりやすい中央部分に該当するペーパーセット収納部Ｐ２の底部は、４枚の支持板２７〜３０の全てによって支持されているため、より強固な支持構造が形成されている。加えて、支持板２７〜３０は、段ボール材のフルート目Ｍ６が図１６に示したように設定されているため、前後方向の圧縮や座屈に強く、よって、ペーパーセット２の荷重に、より強く耐えることができる。
【０１０８】
なお、図１９に、仕切構造物２１を構成する第１仕切板２３と支持板２７とを１枚の段ボール材から切り出すときの一態様を示す。２枚の第１仕切板２３を左凸部２３ｎと右凸部２３ｏとで向かい合わせて平面状に配置したときに、左上切欠部２３ｅと右上切欠部２３ｆとを合わせた形状と支持板２７の形状とが略一致するように設定してもよい。これにより、２枚の第１仕切板２３と２枚の支持板２７とを同時に加工する共取りの抜き型を用いることができるため、抜き型に必要なコストを下げて、段ボール材も無駄なく有効に使用することができる。
【０１０９】
＜第３実施形態＞
第１実施形態に係る収納箱に用いた第１仕切板７〜１０は、それぞれが独立した１枚の部材であった。これに対して、第３実施形態に係る収納箱では、隣り合う２枚の仕切板の下辺を長方形の面で繋いで一体化した、コの字型の断面形状を有する第１仕切板を用いる。これにより、図１２に示したＤ１方向に収納箱が落下した場合の耐衝撃性を高めることができる。
【０１１０】
図２０は、第３実施形態に係る収納箱３１の構造を示す分解斜視図である。収納箱３１は、カートン箱４と、カートン箱４の内部に配置される仕切構造物３２とを有する。図２０に示すペーパーセット２、インクカセット３、カートン箱４、仕切構造物３２を構成する第２仕切板１１、第３仕切板１２，１３及び第４仕切板１４，１５は、第１実施形態で用いたものと同じであるので、これらについての説明は省略する。仕切構造物３２は、これらに加えて、第１仕切板３３，３５を有する。
【０１１１】
［第１仕切板３３，３５の構造］
図２１は、第１仕切板３３の構造を示す平面図である。第１仕切板３３は、段ボール材からなり、一対の上辺３３ａ，３４ａと、これに直角な一対の左辺３３ｃ，３４ｃ及び右辺３３ｄ，３４ｄからなる略長方形の平板状部材であり、段ボール材のフルート目Ｍ７は、左右方向（上辺３３ａ，３４ａに平行な方向）である。
【０１１２】
第１仕切板３３は、第１実施形態で用いた第１仕切板７，８（適宜、図２参照）の下辺７ｂ，８ｂをそれぞれ下折曲線部３３ｂ，３４ｂとして、下折曲線部３３ｂ，３４ｂ間を幅寸法Ｌ１８の下面３３ｖによって繋いだ構造を有している。つまり、図２１において下折曲線部３３ｂの下側に描画された部分は、第１実施形態で使用した第１仕切板７と同じであり、各所の寸法設定も第１仕切板７と同じである。そこで、図２１において下折曲線部３３ｂの下側に描画された部分については、符号“３３”に第１仕切板７と共通する下位桁の符号を付して、ここでの詳細な説明を省略する。
【０１１３】
同様に、図２１において下折曲線部３４ｂの上側に描画された部分は、第１実施形態で使用した第１仕切板８と同じ（つまり、実質的に第１仕切板７と同じ）であり、各所の寸法設定も第１仕切板８と同じである。そこで、図２１において下折曲線部３４ｂの上側に描画された部分については、符号“３４”に第１仕切板８と共通する下位桁の符号を付して、ここでの詳細な説明を省略する。
【０１１４】
第１仕切板３３が有する下面３３ｖの幅寸法Ｌ１８は、第１実施形態で述べた第２仕切板１１の下面長穴１１ｋａ〜１１ｋｄの等間隔の寸法Ｌ２６と同様である。つまり、幅寸法Ｌ１８は、２０個のペーパーセット２を並べた厚さに余裕量を加えた寸法であり、且つ、インクカセット３の幅寸法（ｙ２）に余裕量を加えた寸法に設定されている。
【０１１５】
なお、第１仕切板３５は、第１仕切板３３と同じ構造を有し、同じ材料からなる。第１仕切板３５では、第１仕切板３３の各部について用いた符号“３３”に代えて符号“３５”を用い、符号“３４”に代えて符号“３６”を用いている。
【０１１６】
［仕切構造物３２の組立手順］
図２２は、仕切構造物３２を組み立てるために、図２１に示す平面状の第１仕切板３３を立体的形状に変形させる形態を示す図である。図２３は、仕切構造物３２の組立手順を示す図である。
【０１１７】
まず、図２２に示すように、第１仕切板３３を下折曲線部３３ｂ，３４ｂで折り曲げてコの字型とし、同様に、第１仕切板３５もコの字型に折り曲げる。次に、図２３（Ａ）に示すように、２枚の第３仕切板１２，１３を平行に並べた状態で、２つの第１仕切板３３，３５の左切欠部３３ｊ〜３６ｊを第３仕切板１２の上切欠部１２ｅ〜１２ｈに嵌合させる。同様に、２つの第１仕切板３３，３５の右切欠部３３ｋ〜３６ｋを第３仕切板１３の上切欠部１３ｅ〜１３ｈに嵌合させる。その後、第２仕切板１１の下面長穴１１ｋａ〜１１ｋｄに第１仕切板３３，３５の中垂直面３３ｇ〜３６ｇが差し込まれるようにして、第２仕切板１１を第１仕切板３３，３５に組み込む。
【０１１８】
こうして、図２３（Ｂ）の状態となった後、第２仕切板１１の左第３折曲線部１１ｉと左第２折曲線部１１ｇを折り曲げて左上面１１ｎを第１仕切板３３，３５の左垂直面３３ｈ〜３６ｈに被せる。同様に、第２仕切板１１の右第３折曲線部１１ｊと右第２折曲線部１１ｈを折り曲げて右上面１１ｏを第１仕切板３３，３５の右垂直面３３ｉ〜３６ｉに被せる。図２３（Ｃ）の下図は、この時点での状態を示している。
【０１１９】
次に、図２３（Ｃ）の上図に示すように、第４仕切板１４，１５を第１仕切板３３，３５の中垂直面３３ｇ，３６ｇに組み込むことにより、図２３（Ｄ），（Ｅ）に示す状態とされた仕切構造物３２が完成する。なお、図２３（Ｄ）は、仕切構造物３２を斜め上から見た斜視図であり、図２３（Ｅ）は、仕切構造物３２を斜め下から見た斜視図である。
【０１２０】
仕切構造物３２には、第１実施形態に係る仕切構造物６と同等の緩衝空間が形成されている。即ち、ペーパーセット収納部Ｐ１〜Ｐ３の下側、インクカセット収納部Ｃ１〜Ｃ３の左側、インクカセット収納部Ｃ４〜Ｃ６の右側のそれぞれに緩衝空間が形成されている。また、インクカセット収納部Ｃ１，Ｃ４及びペーパーセット収納部Ｐ１の前側と、インクカセット収納部Ｃ３，Ｃ６及びペーパーセット収納部Ｐ３の後側にも、緩衝空間が形成されている。更に、仕切構造物３２では、第１実施形態に係る仕切構造物６とは異なり、インクカセット収納部Ｃ１，Ｃ３，Ｃ４，Ｃ６の底が、第１仕切板３３，３５の下面３３ｖ，３５ｖによって形成されている。但し、インクカセット収納部Ｃ２、Ｃ５は、底が抜けた状態となっている。
【０１２１】
［カートン箱４への仕切構造物３２、ペーパーセット２、インクカセット３の収納］
図２４は、カートン箱４への仕切構造物３２の配置手順を示す図である。図２５（Ａ）は、収納箱３１にペーパーセット２とインクカセット３を収納する手順を示す斜視図である。図２５（Ｂ）〜（Ｄ）は、収納箱３１にペーパーセット２とインクカセット３が収納された状態を示す断面図である。
【０１２２】
図２４（Ａ），（Ｄ）に示すように、第１実施形態と同様に底部が封緘されたカートン箱４に仕切構造物３２を配置して収納箱３１を完成させる。すると、図２４（Ｂ）に示すように、カートン箱４の下フラップ４ａ，４ｂがインクカセット収納部Ｃ２，Ｃ５の底板を形成する。また、図２４（Ｃ）に示すように、インクカセット収納部Ｃ１，Ｃ３，Ｃ４，Ｃ６の底は既に第１仕切板３３，３５の下面３３ｖ，３５ｖによって形成されており、下面３３ｖ，３５ｖが下フラップ４ａ，４ｂに当接する。
【０１２３】
次に、図２５（Ａ）に示すように、収納箱３１にペーパーセット２とインクカセット３を収納する。ペーパーセット収納部Ｐ１〜Ｐ３のそれぞれに、２０個のペーパーセット２を並べて収納したときの収納形態は、図２５（Ｃ）に示すように、第１実施形態と同様であるため、ここでの詳細な説明を省略する。
【０１２４】
収納箱３１にインクカセット３を収納する際には、先ず、第１実施形態と同様に、第２仕切板１１の左上面１１ｎを起こす。これにより、図２５（Ａ）に示すように、インクカセット収納部Ｃ１〜Ｃ３が現れるので、インクカセット収納部Ｃ１に、５個のインクカセット３を並べて収納する。すると、これらのインクカセット３は、第１仕切板３３の下面３３ｖに載せられ、第１仕切板３３の左垂直面３３ｈ，３４ｈにより前後を挟まれ、第２仕切板１１の左側垂直面１１ｗと第３仕切板１２により左右を挟まれた状態になる。このとき、第１実施形態と同様に、５個のインクカセット３を適度な余裕量を持ってインクカセット収納部Ｃ１に収納することができる。インクカセット収納部Ｃ３，Ｃ４，Ｃ６へのインクカセット３の収納形態は、インクカセット収納部Ｃ１の場合と同じである。
【０１２５】
一方、インクカセット収納部Ｃ２，Ｃ５にインクカセット３を収納する場合、第１実施形態と同様に、インクカセット３はカートン箱４の下フラップ４ａ，４ｂのいずれかに載せられ、前後及び左右での保持形態も第１実施形態と同様である。よって、インクカセット３は、適度な余裕量を持ってインクカセット収納部Ｃ２，Ｃ５に収納される。
【０１２６】
最後に、第２仕切板１１の左上面１１ｎ及び右上面１１ｏをインクカセット収納部Ｃ１〜Ｃ６の上に被せ、カートン箱４の上フラップ４ｅ〜４ｈを折り曲げて、封緘する。これにより、収納箱３１の梱包が終了する。
【０１２７】
［収納箱３１の耐衝撃性］
収納箱３１が、第１実施形態において参照した図１２に示されるＤ１方向に落下した場合、カートン箱４には左方向に荷重が掛かる。このとき、ペーパーセット２の荷重は第１実施形態と同様に、第２仕切板１１の左側垂直面１１ｗに掛かるが、第１仕切板３３，３５の左垂直面３３ｈ〜３６ｈは、段ボール材のフルート目Ｍ７が図２１に示すように設定されているため、左右方向の圧縮や座屈に強い。よって、ペーパーセット２の荷重に、より強く耐えることができる。また、このとき、第１仕切板３３は、隣接する左垂直面３３ｈ，３４ｈ同士を下面３３ｖで繋いだコノ字型の断面形状を有するため、より座屈し難い。また、第１仕切板３５も第１仕切板３３と同様のコノ字型の断面形状を有するため、より座屈し難い。そのため、より大きい荷重に耐えることができる。
【０１２８】
なお、図１２に示されるＤ２方向に収納箱３１が落下した場合には、カートン箱４の右方向に荷重が掛かるが、収納箱３１は左右対称な構造を有するため、この場合、Ｄ１方向に収納箱２１が落下した場合と同等の効果が得られる。
【０１２９】
また、図１２に示されるＤ９方向に収納箱３１が落下した場合、カートン箱４には左下方向に荷重が掛かり、このとき、第１仕切板３３，３５の左垂直面３３ｈ〜３６ｈには、斜め方向から荷重が掛かる。この場合でも、第１仕切板３３，３５はそれぞれ、隣接する左垂直面３３ｈ，３４ｈ同士，３５ｈ，３６ｈ同士がそれぞれ下面３３ｖ，３５ｖで繋がれたコノ字型の断面形状を有するため、大きい荷重に耐えて、折れや座屈が生じることを回避することができる。図１２に示されるＤ１０方向、Ｄ１１方向或いはＤ１２方向に収納箱３１が落下した場合も、収納箱３１は左右対称、且つ、上下対称であるから、Ｄ９方向に落下した場合と同等の効果が得られる。
【０１３０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３１】
例えば、上記第１実施形態では、第１仕切板７〜１０を第３仕切板１２，１３の上から下から差し込む構成としたが、互いの切欠きを上下逆にして、第１仕切板７〜１０を第３仕切板１２，１３の下から差し込む構成としてもよい。この場合、第１仕切板７の左斜辺７ｗは左辺７ｃから下辺７ｂにかけて切除して形成し、右斜辺７ｍは右辺７ｄから下辺７ｂにかけて切除して形成すればよく、Ｄ７方向（図１２参照）に収納箱１が落下した場合でも、第１実施形態と同等の効果が得られる。
【０１３２】
また、上記実施形態では、６０個のペーパーセット２と３０個のインクカセット３を収納する収納箱について説明したが、ペーパーセット２とインクカセット３の収納数は、これに限定されるものではなく、適宜、収納数を変更した構成にすることができる。その場合、仕切構造物を構成する仕切板の数や形状は、適宜、変更される。
【符号の説明】
【０１３３】
１，２１，３１    収納箱
２    ペーパーセット
３    インクカセット
４    カートン箱
６，２２，３２    仕切構造物
７〜１０，２３〜２６，３３，３５    第１仕切板
１１    第２仕切板
１２，１３    第３仕切板
１４，１５    第４仕切板
２７〜３０    支持板
Ｐ１〜Ｐ３    ペーパーセット収納部
Ｃ１〜Ｃ６    インクカセット収納部
【図１】
2014008964.tif 000003
【図２】
2014008964.tif 000004
【図３】
2014008964.tif 000005
【図４】
2014008964.tif 000006
【図５】
2014008964.tif 000007
【図６】
2014008964.tif 000008
【図７】
2014008964.tif 000009
【図８】
2014008964.tif 000010
【図９】
2014008964.tif 000011
【図１２】
2014008964.tif 000012
【図１３】
2014008964.tif 000013
【図１４】
2014008964.tif 000014
【図１５】
2014008964.tif 000015
【図１６】
2014008964.tif 000016
【図１７】
2014008964.tif 000017
【図１８】
2014008964.tif 000018
【図１９】
2014008964.tif 000019
【図２０】
2014008964.tif 000020
【図２１】
2014008964.tif 000021
【図２２】
2014008964.tif 000022
【図２３】
2014008964.tif 000023
【図２４】
2014008964.tif 000024
【図２６】
2014008964.tif 000025
【図１０】
2014008964.tif 000026
【図１１】
2014008964.tif 000027
【図２５】
2014008964.tif 000028